(57)【要約】【課題】  ディスクカートリッジにおいて、ロータリーシャッタを閉方向に付勢するばね部材が落下することにより、シェル半体の内面と擦れて粉塵が発生するのを防止する。【解決手段】  一対のシェル半体１１、１２と、一対のシェル半体１１、１２を支持するフレームとを有し、シェル半体１１、１２にヘッドアクセス用開口部が設けられたハウジングと、ハウジング内にヘッドアクセス用開口部を開閉するために設けられた、回動自在なロータリーシャッタ３２とを備えたディスクカートリッジにおいて、フレームとロータリーシャッタ３２に、ばね部材６０の両端のリング部６０ａが各々係止されるばね係止部が設けられ、このばね係止部が係止されたばね部材６０を下側シェル半体１２の内面から離れた位置に維持するように、リング部６０ａを保持する形状を有している。【選択図】  図４
2006134452.tif 000002
【特許請求の範囲】
【請求項１】
円盤状の記録媒体を回転自在に収容する一対のシェル半体と、該一対のシェル半体を支持するフレームとを有し、前記シェル半体に、ドライブ装置の記録再生ヘッドを前記記録媒体にアクセスさせるためのヘッドアクセス用開口部が設けられたハウジングと、
前記ヘッドアクセス用開口部を開閉するために前記ハウジング内に設けられ、ドライブ装置への非挿入時にばね部材により閉方向に付勢される回転自在なロータリーシャッタとを備え、
前記フレームと前記ロータリーシャッタに、前記ばね部材の両端のリング部が各々係止されるばね係止部が設けられたディスクカートリッジにおいて、
前記ばね係止部が一方のシェル半体から他方のシェル半体に向けて突設されていて、さらに前記フレーム側と前記ロータリーシャッタ側の少なくとも一方の前記ばね係止部が、係止された前記ばね部材を前記シェル半体の内面から離れた位置に維持するように、前記リング部を保持する形状を有していることを特徴とするディスクカートリッジ。
【請求項２】
前記ばね係止部が前記ばね部材側とは反対側の側面に、前記リング部を係止する凹部を有するものであることを特徴とする請求項１に記載のディスクカートリッジ。
【発明の詳細な説明】
【技術分野】
【０００１】
本発明は、携帯電子機器等の記録再生に使用されるディスクカートリッジに係り、特にそのロータリーシャッタを閉方向に付勢するばね部材を係止するばね係止部の改良に関する。
【背景技術】
【０００２】
デジタルカメラ等の携帯電子機器に使用される小型の記録再生カートリッジとして、円盤状の記録媒体を回動自在に収容し、ドライブ装置の記録再生ヘッドを記録媒体にアクセスさせるためのヘッドアクセス用開口部を有する一対のシェル半体を主とするハウジングと、ヘッドアクセス用開口部を開閉する、回動自在なロータリーシャッタとを備えたディスクカートリッジが開示されている（特許文献１等）。
【０００３】
ディスクカートリッジにおいては、例えば、ハウジングに上記一対のシェル半体を支持するフレームが備えられ、上記ロータリーシャッタは、このフレームとロータリーシャッタに両端が各々係止されたばね部材により、ドライブ装置への非挿入時に閉方向に付勢されるよう構成される。かかるディスクカートリッジは、例えば、「ｃｌｉｋ！（登録商標）」等の名称で市販されている。
【特許文献１】特開２００４−１７８６４２号公報
【発明の開示】
【発明が解決しようとする課題】
【０００４】
上記先行技術では、フレームとロータリーシャッタに、ばね部材の両端のリング部が各々係止されるばね係止部が設けられている。
【０００５】
図６に、ばね係止部の近傍部分の断面図を示し、従来の課題を説明する。図中、符号１１１及び１１２は、一対のシェル半体を示す。
【０００６】
図６（ａ）に示す如く、従来のディスクカートリッジでは、ロータリーシャッタ１３２は、下側シェル半体１１２の内面に当接されたロータリーシャッタ本体部１３２ａと、ロータリーシャッタ本体部１３２ａに下側シェル半体１１２側から上側シェル半体１１１側に向けて突設されたばね係止部１３３とを備えてなり、ばね部材１６０の一端のリング部１６０ａがばね係止部１３３に係止されている。
【０００７】
このばね部材１６０はドライブ装置への非挿入時にロータリーシャッタ１３２を閉方向に付勢するものであり、ロータリーシャッタ１３２が閉まった状態で圧縮力が最小となる。ここで、この圧縮力が小さ過ぎたり、ばね部材１６０に外部からの衝撃が加わったりすると、図６（ｂ）に示す如く、ばね係止部１３３に係止されていたリング部１６０ａの係止位置が下がることにより、ばね部材１６０が下側シェル半体１１２の内面に接してしまう恐れがある。ばね部材１６０が下側シェル半体１１２の内面に接した状態でロータリーシャッタ１３２の開閉動作が行なわれると、ばね部材１６０が下側シェル半体１１２の内面と擦れることにより、粉塵が発生し、記録再生特性に致命的な欠陥を与えてしまう。
【０００８】
本発明はかかる事情に鑑みてなされたものであり、使用状況に関係なく、ばね部材の落下を防止できる形状のばね係止部を備えたディスクカートリッジを提供することを目的とするものである。
【課題を解決するための手段】
【０００９】
本発明のディスクカートリッジは、円盤状の記録媒体を回転自在に収容する一対のシェル半体と、該一対のシェル半体を支持するフレームとを有し、前記シェル半体に、ドライブ装置の記録再生ヘッドを前記記録媒体にアクセスさせるためのヘッドアクセス用開口部が設けられたハウジングと、前記ヘッドアクセス用開口部を開閉するために前記ハウジング内に設けられ、ドライブ装置への非挿入時にばね部材により閉方向に付勢される回転自在なロータリーシャッタとを備え、前記フレームと前記ロータリーシャッタに、前記ばね部材の両端のリング部が各々係止されるばね係止部が設けられたディスクカートリッジにおいて、
前記ばね係止部は一方のシェル半体から他方のシェル半体に向けて突設されていて、さらに前記フレーム側と前記ロータリーシャッタ側の少なくとも一方の前記ばね係止部が、係止された前記ばね部材を前記シェル半体の内面から離れた位置に維持するように、前記リング部を保持する形状を有していることを特徴とするものである。
【００１０】
ここで、前記ばね係止部は前記ばね部材側とは反対側の側面に、前記リング部を係止する凹部を有するものであることが望ましい。
【００１１】
なお、本発明でいうリング部とは、一部繋がりの切れた形状、例えば鉤やフック等を含むものとする。
【発明の効果】
【００１２】
本発明のディスクカートリッジでは、ばね部材の両端のリング部を各々係止するばね係止部は、係止されたばね部材をシェル半体の内面から離れた位置に維持するようにリング部を保持する形状としているので、使用状況に関係なく、ばね部材の落下を防止でき、擦れによる粉塵の発生を抑制できる。そのため、ロータリーシャッタが安定して開閉でき、ディスクカートリッジの品質と寿命を向上することができる。
【発明を実施するための最良の形態】
【００１３】
次に、図面を参照し、本発明に係る一実施形態のディスクカートリッジ、及び該ディスクカートリッジのドライブ装置への挿入・取出機構について説明する。本実施形態では、磁気記録媒体を用いる磁気ディスクカートリッジを挙げて説明する。便宜上、ドライブ装置に挿入された際に、ドライブ装置の底面側に位置する側を「下側」、その反対側を「上側」として説明する。
【００１４】
図１はディスクカートリッジの分解斜視図である。図２（ａ）〜（ｃ）は各々、ロータリーシャッタが閉状態にある上面図、右側面図、及び底面図である。図３は下側ロータリーシャッタ、ばね部材およびフレームの拡大平面図である。図４（ａ）は図３のIVＡ−IVＡ断面図であり、図４（ｂ）〜（ｄ）は他の態様を示す図である。図５はディスクカートリッジが挿入されるドライブ装置の一例である。
【００１５】
（ディスクカートリッジ）
図１、図２に示す如く、本実施形態の磁気ディスクカートリッジ１は、円盤状の磁気記録媒体（磁気ディスク）５０が、ハウジング２に収容されたものである。磁気記録媒体５０の中心開口部には、図５に示すドライブ装置８０に挿入された際に磁気吸着されるセンタコア（いわゆるハブ）５１が取り付けられている。
【００１６】
ハウジング２は、互いに対向配置され、磁気記録媒体５０を回動自在に収容する、平面視略同一形状の金属製等の上側シェル半体１１及び下側シェル半体１２と、これら一対のシェル半体１１、１２を支持する樹脂製等のフレーム２０とを有してなる。
【００１７】
シェル半体１１、１２は円盤状から略扇形状を切欠した形状を呈するもので、略扇形状の開口部が、ドライブ装置８０の磁気ヘッド（記録再生ヘッド）８７を磁気記録媒体５０にアクセスさせるためのヘッドアクセス用開口部１１ｈ、１２ｈとなっている。
【００１８】
図２（ａ）に示す如く、シェル半体１１、１２の左側面側には、図５のドライブ装置８０の係合部材８９に係合して、ドライブ装置８０内でのディスクカートリッジ１の位置を決めるノッチ１３が形成されている。また、図２（ｂ）に示す如く、シェル半体１１、１２の右側面側には、後記ロータリーシャッタ３１、３２を閉位置にロックするためのシャッタロック部材７０（図１参照）を外部に臨ませる小窓１４が形成されている。
【００１９】
フレーム２０は、一対のシェル半体１１、１２の間でかつ磁気記録媒体５０の側方に嵌め込まれている。図３に拡大して示す如く、フレーム２０は、磁気記録媒体５０側の端面が磁気記録媒体５０の外周形状に沿った弧状を呈する略板状のフレーム本体部２１を主とし、フレーム本体部２１の磁気記録媒体５０と反対側端部が、磁気ディスクカートリッジ１をドライブ装置８０に挿入する際の押込み部２１ａとなっている。
【００２０】
図３、図４（ａ）に示す如く、下側ロータリーシャッタ３２の外周には、後記ばね部材６０の一端のリング部６０ａが係止されるばね係止部３３が設けられている。
【００２１】
図４（ａ）に示す如く、ばね係止部３３は、下側シェル半体１２の内面に当接された下側ロータリーシャッタ本体部３２ａに、下側シェル半体１２側から上側シェル半体１１側に向かって突設されている。本実施形態では、このばね係止部３３は、上端と下端との間で、係止されたばね部材６０が下側シェル半体１２の内面から離れた位置を維持できる位置のばね部材側とは反対側の側面に凹部３３ａが設けられている。さらにこの凹部３３ａの下方に連なるテーパ部が設けられている。本実施形態では、このようにばね係止部３３に凹部とテーパ部が設けられている点が特徴的である。なお、本明細書では、シェル半体１１、１２の磁気記録媒体５０側の面を「内面」、磁気記録媒体５０と反対側の面を「外面」と定義する。
【００２２】
図１、図２に示す如く、磁気ディスクカートリッジ１には、シェル半体１１、１２のヘッドアクセス用開口部１１ｈ、１２ｈを開閉する、金属製等の上側ロータリーシャッタ３１及び下側ロータリーシャッタ３２が備えられている。ロータリーシャッタ３１、３２は、シェル半体１１、１２と同様の形状を呈し、同様のヘッドアクセス用開口部３１ｈ、３２ｈを有する。ロータリーシャッタ３１、３２は、磁気記録媒体５０とシェル半体１１、１２との間に回動自在に介挿されている。また、ロータリーシャッタ３１と３２は互いに係合しており、協動する。さらに、下側シェル半体１２には円弧状溝１２ｂが形成され、下側ロータリーシャッタ３２には、円弧状溝１２ｂから突出しかつこの円弧状溝１２ｂに沿って移動しロータリーシャッタ３１、３２を回動するシャッタノブ３２ｂが固設されている。
【００２３】
図３に示す如く、ロータリーシャッタ３１、３２は、１本のばね部材６０により、磁気ディスクカートリッジ１がドライブ装置８０へ挿入されていない時に閉方向（反時計回り方向）に付勢されるよう構成されている。フレーム２０には、ばね部材６０の一端のリング部６０ａが係止されるばね係止部２３が設けられており、このばね係止部２３は、係止されたばね部材６０がフレーム本体部２１に直接接しないように、接続部２２を介して、フレーム本体部２１と一体的に形成されている。ばね部材６０は両端のリング部６０ａが各々、このばね係止部２３と下側ロータリーシャッタ３２の外周に設けられた前記ばね係止部３３に係止されている。ばね部材６０は、このように両端のリング部６０ａがばね係止部２３、３３に係止されて、ロータリーシャッタ３２とフレーム２０との間に円弧状に配され、フレーム２０側のばね係止部２３を支点として、ロータリーシャッタ３１、３２の回動に伴って伸縮する。
【００２４】
図１に示す如く、ロータリーシャッタ３１、３２の内面（磁気記録媒体５０側の面）には各々、磁気記録媒体５０の表面を浄化するライナ４１、４２が貼付されている。また、磁気記録媒体５０の下側に配置される、シェル半体１２、ロータリーシャッタ３２、及びライナ４２には各々、磁気記録媒体５０のセンタコア５１が嵌入する中心開口部１２ａ、３２ａ、４２ａが設けられている。
【００２５】
本実施形態の磁気ディスクカートリッジ１は以上のように構成されている。
【００２６】
（ドライブ装置、ディスクカートリッジの挿入・取出機構）
次に、図５に示すドライブ装置８０の構成と、磁気ディスクカートリッジ１の挿入・取出機構について説明する。
【００２７】
図５に示すドライブ装置８０は、磁気ディスクカートリッジ１が挿入されるスロット８１と、磁気記録媒体５０のセンタコア５１を磁気吸着するスピンドル８３を備えたスピンドルモータ８２と、ヘッドアクチュエータ８４と、スイングアーム８５と、このスイングアーム８５に支持されたヘッドサスペンション８６とを備えている。ヘッドサスペンション８６の先端には、回転する磁気記録媒体５０の表面にアクセスして情報の記録再生を行う磁気ヘッド（記録再生ヘッド）８７が設けられている。
【００２８】
さらにドライブ装置８０には、磁気ディスクカートリッジ１のノッチ１３に係合する係合部材８９を備えたプッシュ・プッシュ式のカートリッジ係止・取出機構８８と、このドライブ装置８０が装填されるデジタルカメラ、パソコン等の電子機器に対する入出力インターフェース９０とを備えている。
【００２９】
ドライブ装置８０のスロット８１の奥の右側には、磁気ディスクカートリッジ１の挿入方向と直交するように左右方向に延びるシャッタノブ係止壁７８がシャッタ開放手段として形成されているとともに、閉位置にロックされたロータリーシャッタ３１、３２のロック状態を磁気ディスクカートリッジ１の挿入時に解除するロック解除部材７９が設けられている。
【００３０】
磁気ディスクカートリッジ１がドライブ装置８０に挿入されると、先ずロック解除部材７９がシャッタロック部材７０を押圧してロータリーシャッタ３１、３２のロック状態を解除する。この状態でシャッタノブ３２ｂがドライブ装置８０のシャッタノブ係止壁７８に係合し、磁気ディスクカートリッジ１の押込みに伴って、シャッタノブ３２ｂがシャッタノブ係止壁７８に沿ってスライドする。これによって、ロータリーシャッタ３１、３２がばね部材６０を圧縮しながら回動し、シェル半体１１、１２のヘッドアクセス用開口部１１ｈ、１２ｈが開状態となる。磁気ディスクカートリッジ１のノッチ１３にドライブ装置８０の係合部材８９が係合し、ばね部材６０が圧縮された状態で、磁気ディスクカートリッジ１は、ドライブ装置８０内の所定位置にロードされる。
【００３１】
磁気ディスクカートリッジ１の取出し時には、押込み部２１ａを押圧することにより、カートリッジ係止・取出機構８８が磁気ディスクカートリッジ１を押し出すと共に、磁気ディスクカートリッジ１の引出しに伴って、ロータリーシャッタ３１、３２は、ばね部材６０の付勢力により、図２（ａ）、（ｃ）に示した位置まで回動されて、シャッタロック部材７０によりロックされ、シェル半体１１、１２のヘッドアクセス用開口部１１ｈ、１２ｈが閉状態となる。
【００３２】
本実施形態の磁気ディスクカートリッジ１では、回転自在に開閉する下側ロータリーシャッタ側のばね係止部３３が、係止されたばね部材６０が下側シェル半体１２の内面から離れた位置を維持できる位置のばね部材側とは反対側の側面に凹部３３ａを設けているので、ばね係止部３３に係止されたばね部材６０の一端のリング部６０ａは係止位置を保持できる。さらにこの凹部３３ａの下方に連なるテーパ部を設けることにより、ばね係止部３３の強度を補強することができ、またリング部６０ａの係止位置をより確実に保持することができる。したがって、本実施形態によれば、使用状況に関係なくばね部材の落下を防止することができる。
【００３３】
なお、本実施形態では、下側ロータリーシャッタは回転自在に開閉するため、本発明における効果がより高いので、下側ロータリーシャッタ３２側のばね係止部３３について説明したが、フレーム２０側のばね係止部２３においても同様の形状にすることがさらに望ましい。
【００３４】
（他の態様）
上記実施形態では、ばね係止部３３でリング部６０ａを係止する凹部３３ａの下方に連なるテーパ部を設けたが、本発明のばね係止部は、図４（ｂ）〜（ｄ）に示すような形状としてもよい。
【００３５】
図４（ｂ）は、リング部６０ａを係止する凹部３３ａの下方に連なる肩部を設けた例、図４（ｃ）は、リング部６０ａを係止する凹部３３ａの下方に連なる肩部を設け、さらにばね部材側とは反対側に、ばね係止部の形状を反転させた形状を設けた例、図４（ｄ）は、リング部６０ａを係止する凹部３３ａの下方に連なる肩部を設け、さらにばね係止部のばね部材側にも同様の肩部を設けた例である。
【００３６】
このようにテーパ部の代わりに肩部を設けた形状にしても、ばね係止部３３の強度を補強することができ、またリング部６０ａの係止位置をより確実に保持することができるので、上記実施形態と同様の効果が得られる。
【００３７】
以上の実施形態においては、磁気ディスクカートリッジについてのみ説明したが、本発明は、磁気記録媒体に限らず、例えば、光記録媒体、光磁気記録媒体等の任意の記録媒体を用いるディスクカートリッジに適用可能である。
【００３８】
また、本発明の趣旨を逸脱しない範囲内で適宜設計変更可能である。例えば、フレーム２０を一体成形せずに、接続部２２及び／又はばね係止部２３をフレーム本体部２１とは別材により構成してもよい。
【００３９】
また、特別な状況下で、ばね部材が落下してしまった場合にシェル半体の内面と擦れることによる粉塵の発生を防ぐことができるので、ばね部材の表面に、例えば樹脂、テフロン（登録商標）等のコーディング加工を施しておくことが望ましい。
【図面の簡単な説明】
【００４０】
【図１】本発明に係る一実施形態の磁気ディスクカートリッジの分解斜視図である。
【図２】図１のディスクカートリッジの上面図、右側面図、及び底面図である。
【図３】図１のディスクカートリッジの下側ロータリーシャッタ／ばね部材／フレームの拡大平面図である。
【図４】図３のＡ−Ａ断面図である。
【図５】図１のディスクカートリッジが挿入されるドライブ装置の一例である。
【図６】従来のディスクカートリッジの構造と課題を示す図である。
【符号の説明】
【００４１】
１  磁気ディスクカートリッジ（ディスクカートリッジ）
２  ハウジング
１１、１２  シェル半体
１１ｈ、１２ｈ  ヘッドアクセス用開口部
２０  フレーム
２１  フレーム本体部
２３  フレーム側のばね係止部
３１、３２  ロータリーシャッタ
３３  ロータリーシャッタ側のばね係止部
３３ａ  凹部
５０  磁気記録媒体（記録媒体）
６０  ばね部材
６０ａ  リング部
８０  ドライブ装置
８７  磁気ヘッド（記録再生ヘッド）  
【図１】
2006134452.tif 000003
【図２】
2006134452.tif 000004
【図３】
2006134452.tif 000005
【図４】
2006134452.tif 000006
【図５】
2006134452.tif 000007
【図６】
2006134452.tif 000008